(57)【要約】【課題】  回線毎に、または火災感知器に付与されているアドレス毎に、部屋番号を設定することができ、また、盤面スイッチと表示部とによって、上記回線毎にまたは上記火災感知器毎に部屋番号を設定することができ、つまり、上記回線毎にまたは上記火災感知器毎に部屋番号を設定するに際して、受信機以外の入力専用の機材が不要であるＰ型火災受信機を提供することを目的とするものである。【解決手段】  所定の火災回線と、所定の火災感知器のアドレスと所定の部屋番号とを入力する入力手段と、所定の火災回線と、所定の火災感知器のアドレスと所定の部屋番号とを対応して格納する対応メモリと、上記入力手段を介して入力された所定の火災回線と、所定の火災感知器のアドレスと、上記入力手段を介して入力された所定の部屋番号とを対応して、上記対応メモリに書き込む書込手段とを有するＰ型火災報知設備である。【選択図】  図１
2005258483.tif 000002
【特許請求の範囲】
【請求項１】
所定の火災回線と、所定の部屋番号と、所定の火災感知器のアドレスと、所定の部屋番号とを入力する入力手段と；
上記火災回線と上記部屋番号とを対応させ、また、上記火災感知器のアドレスと上記部屋番号とを対応させて格納する対応メモリと；
上記火災回線と、上記火災感知器のアドレスと、上記入力手段を介して入力された上記部屋番号とを対応して、上記対応メモリに書き込む書込手段と；
を有することを特徴とするＰ型火災受信機。
【請求項２】
請求項１において、
上記入力手段は、上記所定の火災回線と、上記所定の部屋番号と、上記所定の火災感知器のアドレスと、上記所定の部屋番号とを、火災受信機の盤面から入力する手段であることを特徴とするＰ型火災受信機。
【請求項３】
請求項１において、
上記火災感知器のアドレスに、上記火災感知器が接続されている回線のアドレスが含まれていることを特徴とするＰ型火災受信機。
【発明の詳細な説明】
【技術分野】
【０００１】
本発明は、Ｐ型火災受信機に関する。
【背景技術】
【０００２】
従来のＰ型火災受信機のうちで、火災感知器に部屋番号を設定することができる火災受信機では、それぞれの火災感知器に対して個別に部屋番号を設定する必要がある。
【０００３】
また、火災感知器個別に設定された部屋番号は、ＥＰＲＯＭ等のＩＣに書き込まれ、部屋番号の設定のような、火災受信機に設定されるデータを設定する場合、専用のデータ設定器を使用して火災受信機に設定する。
【特許文献１】特開平１０−２２８５９３号公報
【発明の開示】
【発明が解決しようとする課題】
【０００４】
しかし、従来のＰ型火災受信機を設置する場合、個々の火災感知器単位での管理のみでなく回線（火災回線）単位で管理することも多く、従来例では、たとえば、同一の部屋に複数の火災感知器を設置する場合、同一部屋番号であるにもかかわらず、同じ番号を何回も書き込まなければならず、大変な労力であるという問題がある。
【０００５】
本発明は、Ｐ型火災受信機において、火災感知器に付与されているアドレス毎に、部屋番号を設定することができ、また、回線単位でも部屋番号を設定することができるようにすることによって、同じ部屋の感知器を同一回線とすると、１回の設定で済み、これらを使い分けることによって、従来例における設定の手間をできる限り小さくすることができるＰ型火災受信機を提供することを目的とするものである。
【０００６】
また、本発明は、盤面スイッチと表示部とによって、火災感知器毎に部屋番号を設定することができ、また、この火災感知器毎に部屋番号を設定するに際して、受信機以外の機材、たとえば、従来に必要なパソコンやＩＣカード等入力専用の機材が不要であるＰ型火災受信機を提供することを目的とするものである。
【課題を解決するための手段】
【０００７】
本発明は、所定の火災回線と、所定の部屋番号と、所定の火災感知器のアドレスと、所定の部屋番号とを入力する入力手段と、上記火災回線と上記部屋番号とを対応させ、また、上記火災感知器のアドレスと上記部屋番号とを対応させて格納する対応メモリと、上記火災回線と、上記火災感知器のアドレスと、上記入力手段を介して入力された上記部屋番号とを対応して、上記対応メモリに書き込む書込手段とを有するＰ型火災受信機である。
【発明の効果】
【０００８】
本発明によれば、火災感知器のアドレス毎に、部屋番号を設定することができ、また、回線単位で部屋番号を設定することができ、同一の部屋に複数の火災感知器を設置するときに回線対応とするので、部屋番号を入力する手間をできる限り少なくすることができるという効果を奏する。
【０００９】
また、本発明によれば、盤面スイッチと表示部とから、部屋番号を設定することができ、つまり、回線毎に、または、火災感知器毎に部屋番号を設定するに際して、受信機以外の機材が不要で、簡単に設定することができるという効果を奏する。
【発明を実施するための最良の形態】
【００１０】
発明を実施するための最良の形態は、以下の実施例である。
【実施例１】
【００１１】
図１は、本発明の一実施例であるＰ型火災報知設備ＰＳを示す図である。
【００１２】
Ｐ型火災報知設備ＰＳでは、１台のＰ型火災受信機ＲＥに、複数の火災感知器ＳＥが接続され、また、Ｐ型火災受信機ＲＥに火災表示機ＤＰが接続されている。
【００１３】
図２は、Ｐ型火災報知設備ＰＳをより詳細に示すブロック図である。
【００１４】
各火災感知器ＳＥは、火災受信機ＲＥから電源が供給され、煙濃度や周辺温度等の物理量を計測し、これによって、火災監視を行っている。
【００１５】
火災受信機ＲＥは、電源部１１と、信号送信回路１２と、信号受信回路１３と、火災検出回路１４と、断線検出回路１５と、制御回路１６と、メイン制御部１７と、表示操作部１８と、メモリ１９と、部屋番号表示部ＤＰ３とを有する。また、火災受信機ＲＥは、電源兼信号線が接続されるコモン端子と複数のライン端子とを備え、これらの端子に接続されている電源兼出力信号線Ｃ、Ｌ１〜Ｌｎのそれぞれに、複数の火災感知器ＳＥが接続されている。
【００１６】
部屋番号表示部ＤＰ３は、複数のＬＥＤを有し、複数桁の数字を表示でき、火災発報した火災感知器ＳＥが設置されている部屋に対応する部屋番号を表示する。
【００１７】
複数の火災感知器ＳＥのそれぞれに、固有の火災感知器アドレスが付与されている。なお、複数の火災感知器ＳＥの中には、火災感知器アドレスを有しないものもある。
【００１８】
信号線ＣとＬ１〜Ｌｎとの間で各回線が構成され、それぞれの端末部分に終端器が配置されている。そして、火災受信機ＲＥ内のブロック構成のうち、各回線毎に、信号送信回路１２と、信号受信回路１３と、火災検出回路１４と、断線検出回路１５と、制御回路１６とが配置されている。
【００１９】
各回線毎の火災検出回路１４は、電源兼信号線Ｃ、Ｌ１〜Ｌｎのうちで、１つの回線に接続されている複数の火災感知器ＳＥから火災信号を検出する。この火災信号は、火災感知器ＳＥが火災検出時にいわゆるスイッチング動作を行い、信号線間を低インピーダンス状態とすることによって発生する信号である。
【００２０】
これと同様に、各回線毎の信号受信回路１３は、電源兼信号線Ｃ、Ｌ１〜Ｌｎのうちで、１つの回線に接続されている複数の火災感知器ＳＥから、信号送信回路１２からアドレスを取得するための信号出力を行うことによって、アドレス付きの火災感知器ＳＥから信号によってアドレスを受信する。ここで、１つの回線に接続されている火災感知器ＳＥには、アドレス付きの火災感知器と、一般型の火災感知器（アドレスが付与されていない火災感知器）とがある。
【００２１】
火災表示機ＤＰには、部屋番号表示部３０が設けられ、部屋番号表示部３０は、火災受信機ＲＥの部屋番号表示部ＤＰ３と同様、火災発報した火災感知器ＳＥが設置されている部屋に対応する部屋番号を表示する。
【００２２】
上記実施例において、表示操作部１８は、所定の火災回線と所定の火災感知器のアドレスと所定の部屋番号とを入力する入力手段の例である。つまり、上記入力手段は、所定の火災回線と所定の火災感知器のアドレスと所定の部屋番号とを、火災受信機の盤面から入力する手段である。
【００２３】
メモリ１９は、ＥＥＰＲＯＭのような不揮発性のメモリであり、所定の火災回線と所定の火災感知器のアドレスと所定の部屋番号とを対応して格納する対応メモリの例である。
【００２４】
メイン制御部１７は、上記入力手段を介して入力された所定の火災回線と、所定の火災感知器のアドレスと、上記入力手段を介して入力された所定の部屋番号とを対応して、上記対応メモリに書き込む書込手段の例である。
【００２５】
図３は、火災受信機ＲＥの盤面の一部を示す図である。
【００２６】
火災受信機ＲＥの盤面は、回線を表示する回線表示部ＤＰ１と、火災感知器のアドレスを表示するアドレス表示部ＤＰ２と、部屋番号を表示する部屋番号表示部ＤＰ３とを有する。
【００２７】
部屋番号表示部ＤＰ３は、２つ設置されている。火災表示部ＤＰ４は、監視時に消灯するが、火災時にこの窓に「火災」文字が現われ点滅する。回線選択スイッチＳＷ４とＳＷ５は、それぞれ１０位と１位とを表し、解除スイッチＳＷ８は、回線選択を解除するスイッチである。また、設定確認スイッチＳＷ６と、実行スイッチＳＷ７と、地区音響一斉鳴動スイッチＳＷ９と、表示機呼出しスイッチＳＷ１０とが設けられている。
【００２８】
復旧スイッチＳＷ１１は、火災受信機ＲＥの操作を復旧させるスイッチである。スイッチＳＷ１２、ＳＷ１３は、音響または地区音響を一時停止するときに使われるスイッチである。
【００２９】
情報表示窓ＬＥＤ２は、火災受信機ＲＥの情報表示窓であり、交流電源灯や異常灯等、ＬＥＤで構成されている。電話ジャックＴＪ１は、受話器を差込むと、ほかの所（たとえば受信機−発信機間）と通話することができる。
【００３０】
次に、上記実施例の動作について説明する。
【００３１】
図４は、上記実施例の動作を示すフローチャートである。
【００３２】
まず、データベース設定モードを選択する（Ｓ１）。つまり、一例として、火災受信機ＲＥ、たとえば、火災受信機ＲＥ内に設けられている設定スイッチＳＷ１を押しながら、電源スイッチＳＷ２を押すことによって、盤内のデータベースモード灯ＬＥＤ１が点灯する。
【００３３】
そして、部屋番号表示設定モードを選択する（Ｓ２）。すなわち、火災信号遮断スイッチＳＷ３を押すことによって、火災信号遮断スイッチＳＷ３上部の状態灯が赤点灯し、部屋番号表示設定モードが選択されたことを示す。
【００３４】
その後に、部屋番号を設定すべき火災感知器が設置されている回線を選択する（Ｓ３）。このときに、回線表示部ＤＰ１の表示が点滅し、設定可能であることを示し、具体的には、回線選択１０位スイッチＳＷ４と、回線選択１位スイッチＳＷ５とを操作することによって、桁毎に数字を変えて設定すべき回線が、回線表示部ＤＰ１にで表示され、設定確認スイッチＳＷ６を押して回線を特定する。
【００３５】
そして、火災感知器のアドレスを選択する（Ｓ４）。つまり、このときに、アドレス表示部ＤＰ２の表示が点滅し、設定可能であることを示し、回線選択スイッチ１０位スイッチＳＷ４と、回線選択スイッチ１位スイッチＳＷ５とを操作することによって、桁毎に数字を変えて設定すべき火災感知器のアドレスが、アドレス表示部ＤＰ２に表示され、設定確認スイッチＳＷ６を押し、アドレスも特定する。
【００３６】
その後、所望の部屋番号を選択する（Ｓ５）。ここで、部屋番号表示部ＤＰ３は、外観上、５桁の数字であり、この桁の構成は、上位３桁を階数に対応させるとともに、下位２桁を階毎の番号とし、図示を省略するが、建物内を縦方向に階数、横方向に階毎の番号として、座標的に部屋を特定する。そして。このときに、部屋番号表示部ＤＰ３の上３桁、１００００位欄から、１００位欄の表示が点滅し、設定可能であることを示し、回線選択１０位スイッチＳＷ４と、回線選択１位スイッチＳＷ５とを操作することによって、桁毎に数字を変えて、所望の部屋番号のうちの階数部分を設定することができる。
【００３７】
そして、設定確認スイッチＳＷ６を押すことによって、部屋番号表示部ＤＰ３の下２桁、１０位欄から１位欄の表示が点滅し、設定可能であることを示し、回線選択１０位スイッチＳＷ４と、回線選択１位スイッチＳＷ５とを操作することによって、桁毎に数字を変えて、所望の部屋番号のうちの階毎の番号を設定する。
【００３８】
そして、実行スイッチＳＷ７を押すと（Ｓ６）、表示されている回線表示部ＤＰ１と、アドレス表示部ＤＰ２とに表示されている回線とアドレスとに対して、部屋番号表示部ＤＰ３に表示されている部屋番号が、データとして設定され、この設定されたデータは、メモリ１９に書き込まれる。
【００３９】
これによって、部屋番号表示部ＤＰ３に、設定された部屋番号が表示される（Ｓ７）。部屋番号を設定すべき火災感知器が残っていれば（Ｓ８）、ステップＳ３に戻る。部屋番号を設定すべき火災感知器が残っていなければ（Ｓ８）、火災感知器に部屋番号を設定する動作を終了する。
【００４０】
このような部屋番号の設定動作を終了した後は、通常の火災監視動作に移行してもよく、ここで、一旦電源を落とし、図示しない電源スイッチＳＷ２を再度押して立ち上げることによって、通常動作を行わせることができる。
【００４１】
次に、上記実施例において、所定回線に部屋番号を設定する動作について説明する。
【００４２】
図５は、上記実施例において、所定回線に部屋番号を設定する動作を示すフローチャートである。
【００４３】
ここで、データベース設定モードを選択する（Ｓ１）と、部屋番号表示設定モードを選択する動作（Ｓ２）は、上記図４に示す動作と同様であるので、記載を省略する。つまり、火災受信機ＲＥに設けられている設定スイッチを押しながら、電源スイッチを押すことによって、データベースモード灯が点灯する。
【００４４】
その後に、部屋番号を設定すべき回線を選択する（Ｓ１３）。具体的には、回線選択１０位スイッチＳＷ４と回線選択１位スイッチＳＷ５とを操作することによって、設定すべき回線が、回線表示部ＤＰ１に表示され、設定確認スイッチＳＷ６を２回押し、回線表示部に、ドット付きで回線が表示され、アドレス表示部ＤＰ２に、ドット付きで、「０．０．０」が表示される。
【００４５】
その後に、所望の部屋番号を選択する（Ｓ１５）。ここで、部屋番号表示部ＤＰ３は、外観上５桁の数字であり、この桁の構成は、上位３桁を階数に対応させ、また、下位２桁を、階毎の番号とし、図示を省略するが、建物内を縦方向に階数、横方向に階毎の番号として座標的に部屋を特定できる。
【００４６】
このときに、部屋番号表示部ＤＰ３の上３桁、１００００位欄から、１００位欄の表示が点滅し、設定可能であり、回線選択１０位スイッチＳＷ４と、回線選択１位スイッチＳＷ５とを操作することによって、桁毎に数字を変えて、所望の部屋番号のうちで、階数部分を設定することができる。
【００４７】
そして、設定確認スイッチＳＷ６を押すことによって、部屋番号表示部ＤＰ３の下２桁、１０位欄から１位欄の表示が点滅して設定可能であることを示し、回線選択１０位スイッチＳＷ４と、回線選択１位スイッチＳＷ５とを操作することによって、桁毎に数字を変えて、所望の部屋番号のうちで、階毎の番号を設定することができる。
【００４８】
そして、実行スイッチＳＷ７を押すと（Ｓ１６）、回線表示部ＤＰ１に表示されている回線に対して、部屋番号表示部ＤＰ３に表示されている部屋番号が、データとして設定され、そのデータは、メモリ１９に書き込まれる。
【００４９】
これによって、部屋番号表示部ＤＰ３に、設定された部屋番号が表示される（Ｓ１７）。部屋番号を設定すべき回線が残っていれば（Ｓ１８）、ステップＳ３に戻る。部屋番号を設定すべき回線が残っていなければ（Ｓ１８）、回線に部屋番号を設定する動作を終了する。
【００５０】
上記実施例によれば、Ｐ型火災受信機において、回線毎に、または火災感知器のアドレス毎に、部屋番号を設定することができる。
【００５１】
また、上記実施例によれば、盤面スイッチと表示部とを使用して、部屋番号を設定することができ、つまり、回線毎に、または火災感知器毎に部屋番号を設定するに際して、受信機以外の入力専用の機材が不要である。
【００５２】
図６は、上記実施例において、火災受信機ＲＥ内のメモリ１９に書き込まれるデータを簡単に示す説明図である。
【００５３】
メモリ１９内には、最大回線毎の最大アドレス分の部屋番号が設定できるための領域が予め設定され、ここでは、最大回線として１００回線、最大アドレスとして３０アドレスの場合について示してある。すなわち、回線の１から１００までのそれぞれに対して、アドレスの１から３０まで、部屋番号を設定する領域が設けられている。同時に、各回線に対する部屋番号の設定の領域（アドレス欄がＬとされている部分）が設けられている。
【００５４】
図６に示すように、回線１には、アドレス１から３まで部屋番号の設定がされ、また、回線２には、アドレスに対してではなく、回線に対して部屋番号が設定されている。こうした設定は、たとえば建物の１階が大部屋１つと小部屋３つからなるときに行われ、回線１のアドレス１から３までに、１階の１番から３番までの小部屋が個々に設定され、また、１階の４番が大部屋として、回線２に設定され、回線２には、アドレスに関係なく１階の４番に設置されている。
【００５５】
使用される回線数と各回線に使用しているアドレスとは、設備毎に決まっているので、使用されていない領域に対する部屋番号は不要である。なお、このような部屋番号設定は、必ずしも必要ではなく、アドレス付きの火災感知器ＳＥであっても、特別な場所にあるときに、部屋番号設定を省略することができる。
【００５６】
また、部屋番号を設定する場合、回線に対して設定すると同時に、その回線のアドレスに対して設定すると、１つの火災感知器ＳＥに対して、２つの部屋番号が設定されるので、個々のアドレスに部屋番号が設定されるときには、該当する回線の部屋番号は消去され、回線に部屋番号が設定されると、その回線内の各アドレスに設定された部屋番号は消去される。
【００５７】
次に、上記実施例における火災監視動作について説明する。
【００５８】
図７は、上記実施例における火災監視動作を示すフローチャートである。
【００５９】
まず、データベース設定モードを選択せず、通常の火災監視に入る（Ｓ１０４）。火災受信機ＲＥに設けられている設定スイッチＳＷ１を押さずに。電源スイッチを押し、通常に電源投入して立ち上げる。
【００６０】
そして、火災発報があると（Ｓ１０５）、すなわち、図２に示す火災受信機ＲＥ内の火災検出回路１４が、信号線を介して火災感知器ＳＥから火災信号（スイッチング動作に基づく低インピーダンス状態）を検出すると、部屋番号付きアドレス火災であるか、アドレス火災であるか、一般火災であるかを判断する（Ｓ１０６）。
【００６１】
ここで、火災受信機ＲＥは、火災検出回路１４が、回線に該当する信号線ごとに設けられているので、火災信号を受信した火災検出回路１４が回線を特定することができ、火災信号がある信号線に対して信号送信回路１２から火災感知器ＳＥに信号を送信し、信号受信回路１３が、火災感知器ＳＥから信号を受信し、発報のアドレス有無を判別し、アドレスがあれば、アドレスを特定する。そして、特定された回線と、アドレスに対応した部屋番号とがあるかどうかを、メモリ１９内に設定されているデータに基づいて識別する。この結果から判断する。
【００６２】
なお、上記「部屋番号付きアドレス火災」は、発報時に、回線とアドレスと部屋番号とが表示される火災であり、つまり部屋番号設定済みである。上記「アドレス火災」は、発報時に、回線とアドレスとが表示される火災でり、つまり部屋番号未設定である。上記「一般火災」は、発報時に、回線のみ表示される火災、つまり部屋番号未設定である。
【００６３】
上記火災発報の形態が、「部屋番号付きアドレス火災」であれば（Ｓ１０６）、火災発報した回線がどれであるかという情報（回線番号）と、部屋番号とを取得し（Ｓ１１１）、該当する地区の地区灯を点灯し、回線番号、感知器のアドレス番号と部屋番号を、それぞれの表示部に表示する（Ｓ１１２）。
【００６４】
そして、表示機ＤＰへ伝送し（Ｓ１４１）、表示機ＤＰにおける地区灯を点灯し、部屋番号表示部ＤＰ３３０に、部屋番号を表示する（Ｓ１４２）。その後に、後続火災があれば（Ｓ１５１）、ステップＳ１０６に戻り、後続火災がなければ（Ｓ１５１）、火災復旧し（Ｓ１５２）、火災復旧した情報を、表示機ＤＰに伝送し（Ｓ１５３）、表示機ＤＰにおいて火災復旧する（Ｓ１５４）。
【００６５】
一方、上記火災発報の内容が、「アドレス火災」であれば（Ｓ１０６）、回線番号、アドレスを取得し（Ｓ１２１）、地区灯を点灯し、回線番号、アドレスを表示する（Ｓ１２２）。そして表示機ＤＰへ伝送し（Ｓ１４１）地区灯を点滅し（Ｓ１４３）、ステップＳ１５１以降に進む。
【００６６】
また、上記火災発報の内容が、「一般火災」であれば（Ｓ１０６）、回線番号を取得し（Ｓ１３１）、取得した回線番号に対応する地区灯を点灯し、回線番号を表示し（Ｓ１３２）、ステップＳ１４１、Ｓ１４３、Ｓ１５１以降に進む。
【図面の簡単な説明】
【００６７】
【図１】本発明の一実施例であるＰ型火災報知設備ＰＳを示す図である。
【図２】Ｐ型火災報知設備ＰＳをより詳細に示すブロック図である。
【図３】火災受信機ＲＥの盤面の一部図である。
【図４】上記実施例において、火災感知器に部屋番号を設定する動作を示すフローチャートである。
【図５】上記実施例において、回線に部屋番号を設定する動作を示すフローチャートである。
【図６】メモリ１９内のデータ設定図である。
【図７】火災監視動作を示すフローチャートである。
【符号の説明】
【００６８】
ＰＳ…Ｐ型火災報知設備、
ＲＥ…火災受信機、
ＤＰ…火災表示機、
ＳＥ…火災感知器、
１７…メイン制御部、
１８…表示制御部、
１９…メモリ、
ＤＰ３…部屋番号表示部、
ＳＷ４…回線選択１０位スイッチ、
ＳＷ５…回線選択１位スイッチ、
ＤＰ１…回線表示部、
ＤＰ２…アドレス表示部。
【図１】
2005258483.tif 000003
【図２】
2005258483.tif 000004
【図３】
2005258483.tif 000005
【図４】
2005258483.tif 000006
【図５】
2005258483.tif 000007
【図６】
2005258483.tif 000008
【図７】
2005258483.tif 000009